(57)【要約】      （修正有）【課題】内部に発光部を配設したガラス製外管などのバルブのネック部やこのネック部に形成された封止部を覆うよう熱収縮樹脂チューブ材料からなる被膜を形成し、これらの部分に多少の肉薄部分や残存歪があってもこれらの部分を補強するとともにこれらの部分において万一クラックなどが生じても外管バルブが口金部から離れ脱落することを防止できるようにした高圧放電ランプなどの管球およびこの管球を用いた照明装置を提供する。【解決手段】内部に発光部１が配設されるとともにネック部５１に封止部が形成されたガラス製の外管バルブ５と、上記封止部に接合されるとともに上記発光部１に電気的に接続された口金６と、上記口金６から外管バルブ５のネック部５１の外表面にかけて周状に被着された保護被膜７を備えた高圧放電ランプＬ１などの管球およびこの管球を用いた照明装置である。【選択図】図１
2010040219.tif 000002
【特許請求の範囲】
【請求項１】
内部に発光部が配設されるとともにネック部に封止部が形成されたガラス製の外管バルブと；
上記封止部に接合されるとともに上記発光部に電気的に接続された口金と；
上記口金から外管バルブのネック部の外表面にかけて周状に被着された保護被膜と；
を具備していることを特徴とする管球。
【請求項２】
上記保護被膜は、熱収縮チューブを口金から外管バルブのネック部にかけて収縮させることによって形成されていることを特徴とする請求項１に記載の管球。
【請求項３】
上記保護被膜が被着される外管バルブのネック部または口金の外表面には、凹凸部が形成されていることを特徴とする請求項１または２に記載の管球。
【請求項４】
照明装置本体と；
この照明装置本体に配設された上記請求項１ないし３のいずれか一に記載の管球と；
を備えていることを特徴とする照明装置。
【発明の詳細な説明】
【技術分野】
【０００１】
本発明は、内部に発光管などの発光部が設けられたガラス製外管バルブのネック部に封止部が形成され、この封止部に口金が接合された高圧放電ランプや電球などの管球およびこの管球を用いた照明装置に関する。
【背景技術】
【０００２】
高圧放電ランプ、例えばメタルハライドランプは、高効率、光演色性の光源として、店舗、工場、ホールやスポーツ施設などの照明用として広く用いられている。
【０００３】
この外管バルブは、放電電極および金属ハロゲン化物や希ガスなどの放電媒体を封装した発光管を発光源として、この発光管を支持させたマウントのステム管と外管バルブのネック部とを封止し、外管バルブ内を不活性ガスや窒素ガスあるいは真空雰囲気として発光管の保護、保温や外管内金属部品の酸化を防止をはかった二重管構造となっている。
【０００４】
ところで、このメタルハライドランプは、稀にではあるが寿命末期などに発光管容器材料の石英ガラスが、ハロゲン化金属と反応してその強度を低下させ発光管を破損し、その破片が外管バルブに衝突して外管バルブをも破損飛散させるという危険性を有していた。
【０００５】
そこで、この対策として発光管を耐熱透光性のガラス管（中管）で囲い外管バルブ内に配設するなどの対応がとられ一応の効果を上げている。（特許文献１）
また、この種高圧金属蒸気放電ランプは、照明装置のソケットへの口金の装着時あるいは点灯経過時においても稀有ではあるがマウントのステム管と外管バルブネック部との封止部やこの封止部近傍においてクラックなどの割れを生じることがあった。
【０００６】
これは、ガラス製外管バルブとステム管との封止作業時の加熱バーナや除歪バーナの調整不具合、封止部をモールド成形した際などに封止部や封止部近傍のガラスが均一な肉厚で縮径や膨出されず厚肉や薄肉の部分が生じたり、微小な傷やひび割れの進行、加工残存歪強度や部分的に歪差が大きくなったりあるいはバルブから導出した外部導入線と口金とを半田などのろう材を用い接続するスポット的な加熱時に生じる歪などに起因している。
【０００７】
すなわち、Ｅ（ねじ込み）形口金をソケットにねじ込みながら装着する際に外管バルブの封止部やその近傍のネック部に強い捻り力が加わったり、ランプ点滅による熱的衝撃あるいは振動衝撃などが薄肉部や微小な傷やひび割れ部分、あるいは歪量が大きい部位に作用した場合にクラックや割れが生じることがあった。
【０００８】
そして、上述したメタルハライドランプやハロゲン電球を内部に封装した二重管構造の管球において、内部の発光管などの破損による外管バルブの破損や何らかの原因で外管バルブが破損した場合でも、外管バルブ部分の飛散や脱落を防止する手段として、外管バルブと口金の固着部の外表面に一体的にフッ素樹脂被膜を形成することが知られている。（特許文献２〜６）
【特許文献１】特開平６−２９５７０８号公報
【特許文献２】実開昭６３−６６６２号公報
【特許文献３】特開平３−２９５１４７号公報
【特許文献４】特開平８−１２９９９２号公報
【特許文献５】特開平９−２３７６０９号公報
【特許文献６】特開平９−２８３０９５号公報
【発明の開示】
【発明が解決しようとする課題】
【０００９】
そこで、本発明者等は完成されたランプのガラス製外管バルブの封止部および封止部近傍のネック部に少々の傷や歪などがあってもその強度を高める手段として、上記特許文献２〜６に記載されているように、外管バルブと口金の固着部の外表面に一体的に強化被膜を形成することに着目した。
【００１０】
上記特許文献２〜６の記載によればフッ素樹脂被膜の形成は、形成面である外管バルブの全外表面と口金の固着部の外表面あるいはバルブの略全外表面にプライマーを塗布し、この塗布面上にフッ素樹脂粉末を塗装して焼成することにより行われている。
【００１１】
しかしながら、上記のようにバルブの全外表面に被膜が形成された場合は、フッ素樹脂とはいえ経時とともに被膜に変色を来たし透明度が低下して発光管から放射された可視光の透過率を下げ、ランプの光束維持特性であるパフォーマンス（働程）特性の低下が被膜を有しないランプに比べ加速される。
【００１２】
また、外管ガラスバルブの外表面全面に被膜することは形成作業が容易ではなく特に大形バルブの場合には設備を含め大変であり問題を生じることもあった。すなわち、プライマーによる場合は二度塗り以上の重層作業が必要であり、また、バルブ全面への被膜形成であると材料の使用量も大量でコストアップの一因でもあり、プライマーの種類によっては引火性や環境衛生上など溶剤使用による安全面への管理が煩雑であった。
【００１３】
本発明は、上記事情に鑑みなされたもので、内部に発光源を配設したガラス製外管などのバルブのネック部やこのネック部に形成された封止部を覆うよう熱収縮樹脂チューブ材料からなる被膜を形成し、これらの部分に多少の肉薄部分や残存歪があってもこれらの部分を補強するとともにこれらの部分において万一クラックなどが生じてもバルブが口金部から離れ脱落することを防止できるようにしたもので、この被膜は口金の近傍のみ形成され外管などのバルブ部分における光透過度の低下を来たさないとともに形成作業が容易で材料の使用量も少ない、品質および生産性の向上がはかれた高圧放電ランプなどの管球およびこの管球を用いた照明装置を提供することを目的とする。
【課題を解決するための手段】
【００１４】
本発明の請求項１に記載の管球は、内部に発光部が配設されるとともにネック部に封止部が形成されたガラス製の外管バルブと；上記封止部に接合されるとともに上記発光部に電気的に接続された口金と；上記口金から外管バルブのネック部の外表面にかけて周状に被着された保護被膜と；を具備していることを特徴とする。
【００１５】
ガラス製の外管バルブ端部のネック部を加熱溶融して形成されるステム管との封止部は、熱加工による残存歪、傷や薄肉部分などが生じることがあり、これらを起点として発生したクラックによってバルブが口金から脱落することがある。
【００１６】
しかし、本発明のように口金から外管バルブのネック部の外表面にかけて強化被膜を被着形成することにより万一この部分にクラックが発生しても、被膜が外管バルブのネック部を覆い保持した状態にあるのでバルブが落下することを防止できる。また、この強化被膜は外管バルブの全外表面に形成されていないので、バルブの光放射部において経時による被膜の変色などの劣化もなく管球の光束維持特性などの低下も抑制できる。
【００１７】
なお、本発明および以下の発明において外管バルブの材質は管球の種類や点灯時の温度などに対応して決められるが、石英ガラス、ホウケイ酸ガラスやアルミノシリケートガラスあるいはソーダライムガラスが用いられ、その形状はＡ形、Ｇ形、Ｒ形、Ｔ形，ＰＳ形やＢＴ形あるいはこれらの複合形で端部のネック部にフレアステムやボタンステムなどが焼落とし封止や衝合封止により封止されたもので、この封止部には後述するＥ（ねじ込み）形などの口金が接着剤を介しあるいは螺合や係合されるねじ溝が予めモールド成形されていてメカニカル的に接合できるものであってもよい。
【００１８】
ガラス製の外管バルブは内部に発光源を収容するもので、発光源を支持するサポート部材や点灯回路部品が収容されていてもよく、また、内部に発光管を収容した二重管など多重構造の最外側のバルブを本発明では外管バルブとも呼ぶ。また、発光管の周囲を耐熱透光性材料からなるシュラウド（中管）などで囲ぎょうしてあってもよい。
【００１９】
また、二重管構造の外管バルブの場合は、内部に収容して発光源となる発光管や電球などを構成するバルブは、ガラス製に限らず高耐熱性を有するアルミナなどのセラミックス製のものであってもよい。
【００２０】
口金はＥ（ねじ込み）形に限らず、Ｓ（差込み）形などであってもよい。また、シェル部と一体または一体的に設けられた金属製あるいはセラミックスなどの電気絶縁性の材料で形成された外管バルブの封止部およびネック部を収容して接合するアダプタ部を有する口金であってもよい。
【００２１】
また、強化被膜の膜厚は、管球の大きさや重量にもよるが好ましくは０．１〜１．０ｍｍ位あればよい。
【００２２】
さらに、本発明の発光部は少なくとも一対の熱陰極や冷陰極からなる放電電極あるいは白熱体ｔなるコイル状フィラメントを封装したランプであって、メタルハライドランプ、高圧ナトリウムランプや水銀ランプなどの高圧放電ランプあるいはハロゲン電球などの管球に適用できる。
【００２３】
本発明の請求項２に記載の管球は、上記保護被膜が、熱収縮チューブを口金から外管バルブのネック部にかけて収縮させることによって形成されていることを特徴とする。
【００２４】
本発明の管球は、外管バルブ端部の封止部を覆い接合された口金から、バルブで最も機械的強度が弱い封止部が形成されたネック部にかけフッ素樹脂やシリコン樹脂などからなる熱収縮チューブを熱収縮して形成した保護被膜が被着させてあるので、封止部やネック部にかけた部分において傷や歪などにより万一破損しても強化被膜がそのガラス破片の落下を防ぐことができる。
【００２５】
また、外管バルブが口金と分離するように分裂破損した場合であっても、強化被膜が口金に支持されているとともにバルブ外表面に常に収縮力を付与した状態で被着してあるので分裂した外管バルブ部分が脱落することがない。
【００２６】
また、例えばフッ素樹脂からなる熱収縮チューブは最高２６０℃位までの耐熱性を有しているので、高出力タイプの高圧放電ランプやハロゲン電球などを、ベースアップ（口金上方）で点灯させて、口金部分が高温になった場合に耐えことができる。
【００２７】
また、保護被膜の形成は、所定寸法にカットしたフッ素樹脂などの熱収縮チューブを口金のスカート部から外管バルブのネック部の被着予定部に遊嵌して、温風などで加熱して収縮させる簡単な作業により行うことができ、公知のプライマー上にフッ素樹脂粉末などを重層して形成する場合に比べ、形成温度も低く被着設備および形成作業が容易となる。さらに、コスト低減や生産性の向上がはかれるとともに溶剤を用いていないので安全性が高く環境上も好ましい。
【００２８】
本発明の請求項３に記載の管球は、上記保護被膜が被着される外管バルブのネック部または口金の外表面には、凹凸部が形成されていることを特徴
外管バルブのネック部または口金あるいは両者の外表面の強化被膜が被着される部分の少なくとも一部に凹部または凸部あるいは粗面や孔などを含む凹凸部を形成しておくことにより、フッ素樹脂製の熱収縮したチューブがこれら凹凸部や粗面に沿って硬化密着される結果、形成された強化被膜がずれ難くなり口金側から分離しようとするバルブ側を強固に支持することができる。
【００２９】
この凹凸部は、シェル部のスカート部外側面に凹部や凸部または孔を設けても、あるいはＥ（ねじ込み）形口金の場合はスカート部先端の外方に拡開した開口端部やソケットの受金との電気的接続にあまり支障のないシェル部のスカート部に続く螺旋状の突状部または溝状部を利用しこの部分にまで被膜を形成することにより達成できる。また、外管バルブ側への凹凸部の形成は封止部をモールド成形する際に同時に成形すれば格別な作業や加工は必要ない。
【００３０】
本発明の請求項４に記載の照明装置は、本体と；この照明装置本体に配設された上記請求項１ないし３のいずれか一に記載の管球とを備えていることを特徴とする。
【００３１】
この照明装置は、本体内に点灯回路装置を備えていても、本体外に点灯回路装置を設け管球と接続されるものであってもよい。また、本体内に反射鏡や光放射側にレンズや透光性のカバー部材が設けられていてもよい。
【発明の効果】
【００３２】
請求項１記載の発明によれば、ガラス製外管バルブの封止部やネック部にかけた部分において傷や歪などにより万一破損しても強化被膜が口金に支持されているとともに外管バルブ外表面に収縮力を常に付与した状態で被着しているので、分裂したバルブが脱落することがなく、周囲の人や物品などに危害を与えることがない。このように、保護被膜の被着により管球の強度が高められた安全性の向上した管球を提供することができる。
【００３３】
また、保護被膜は、外管バルブの全外表面に被着していないので、膨出部などの主光放射部における被膜の経時劣化による透過光量の低下も少なく光束維持特性などの発光特性の向上がはかれる。
【００３４】
請求項２記載の発明によれば、保護被膜を熱収縮チューブを用い形成してあるので、被着に要する設備および形成作業が容易となり、コスト低減や生産性の向上がはかれる管球を提供することができる。
【００３５】
請求項３記載の発明によれば、熱収縮したチューブが凹凸部や粗面に沿って硬化密着される結果、形成された保護被膜がずれ難くなり口金側から分離しようとする外管バルブ側を強固に支持させることができる利点を有する。
【００３６】
請求項４記載の発明によれば、請求項１ないし３のいずれか一に記載の効果を奏する管球を備えているので、点灯経時による光束維持率の低下が少なく、また、管球の外管バルブの落下による事故の防止がはかれる照明装置（器具）を提供することができる。
【００３７】
なお、この照明装置（器具）は、店舗、ホール、地下街、事務所やスポーツ施設などの照明用として用いることができる。
【発明を実施するための最良の形態】
【００３８】
以下、本発明の実施の形態を図面を参照して説明する。
【００３９】
図１は本発明に係る高圧放電ランプとして、例えば定格４００Ｗのメタルハライドランプの概略を示す正面図である。
【００４０】
図１において１は発光部となる発光管、３はこの発光管１などを支持するとともに発光管１に給電をなすマウント、５はこのマウント３を内部に封装したガラス製の外管バルブ、６はこの外管バルブ５の端部に接合されたＥ（ねじ込み）形の口金、７は口金６から外管バルブ５のネック部５１の外表面にかけ被着された両者を固定している保護被膜で、これらを主要部材としてメタルハライドランプＬ１を構成している。
【００４１】
これら各部分について詳述すると、上記発光管１は石英ガラスやセラミックスなどからなる透光性容器、ここでは石英ガラスからなる肉厚が１．０mm〜２．０mm程度で、内径１０〜２０mm程度、長手方向の内側端部の間隔が２５〜６０mm程度の直管（Ｔ）形の容器１１が用いられ、この容器１１の両端部には圧潰封止部１２，１３が形成されていて、一方の圧潰封止部１２内にはリボン状のモリブデン（Ｍｏ）からなる一対の金属箔２１，２２が、他方の圧潰封止部１３内には金属箔２１がそれぞれ気密に封止られている。
【００４２】
また、各金属箔２１，２１，２２の内寄りにはタングステン（Ｗ）などで構成した放電電極２ａ，２ａ，２ｂを有する内部リード部材２２、…が、容器１１の外寄りにはモリブデン（Ｍｏ）線などからなる外部リード部材２３，２３、２４がそれぞれ溶接やかしめ止めなどの手段で接続されている。上記放電電極２ａ，２ａの先端間は１５〜４５mmの間隔を隔て主電極として対向配置され、また、放電電極２ｂは補助電極として一方の放電電極２ａの近傍に配置されている。
【００４３】
また、発光管容器１１内には、発光および放電媒体として所定量の水銀と金属ハロゲン化物および５kPa〜２０kPaのアルゴン（Ａｒ）ガスが封入してある。
【００４４】
なお、希ガスとしてはアルゴン（Ａｒ）ガスが適しているが、分圧比で１０％以下、好ましくは５％以下のネオン（Ｎｅ）などの他の希ガスが混入されていてもよい。また、金属ハロゲン化物としては、よう素（Ｉ）や臭素（Ｂｒ）や塩素（Ｃｌ）などのハロゲンと、ナトリウム（Ｎａ）、スカンジウム（Ｓｃ）、セシウム（Ｃｓ）やディスプロシウム（Ｄｙ）などの少なくとも一種の発光金属とが封入され、発光効率、演色性や色温度などの特性向上をはかっている。
【００４５】
マウント３は、一対の導入線３２，３３が気密封着されたステム管３１と、一方の導入線３２に溶接などの手段で接続されたモリブデンＭｏやステンレスなどの線材や板状体を略長四角形状の枠状に成形したサポート部材４と、上記発光管１両端の圧潰封止部１２，１３を両側から挟圧支持して略並行したサポート線４１，４２に接続固定した一対のバンド状部材４３，４３と、このバンド状部材４３，４３またはサポート線４１，４２に取付片（図示しない。）を介し固定されたリング状などをなす固定部材４４，４４と、この固定部材４４，４４に上下端面部が支持されるとともに上記発光管１を囲ぎょうするよう配設された透明石英ガラス管からなるシュラウド（中管）４５と、補助電極として作用する上記放電電極２ｂの外部リード部材２４とサポート線４１との間に接続された抵抗器やバイメタルなどの熱応動スイッチからなる始動回路部４６と、主電極として作用する上記放電電極２ａの外部リード部材２３と導入線３２との間に接続された給電部材４７と、主電極として作用する上記放電電極２ａの外部リード部材２３とサポート線４１との間に接続された給電部材４８とを主要部品として構成されている。
【００４６】
また、外管バルブ５は全長が約２６０ｍｍのホウケイ酸ガラスなどの透光性の硬質ガラスからなり、中央部に最大外径が約１１６ｍｍの膨出部５２を有するとともに図示下部側の閉塞されたトップ部５３および上部側の外径が約５０ｍｍの小径のネック部５１を有するいわゆるＢＴ形をなしている。このネック部５１側には上記ステム管３１のフレア部（図示しない。）が封止られた封止部(図示しない。)を有し、封止後ステム管３１に設けられた排気管（図示しない。）を通じ外管バルブ５内は排気され、アルゴン（Ａｒ）などの不活性ガスや窒素（Ｎ2  ）ガスなどが封入あるいは真空とした気密雰囲気としてある。
【００４７】
また、この封止部には封止部を覆ってE３９（ねじ込み）形口金６のシェル部６１が耐熱性の接着剤を介し接合されていたり、モールドにより形成された螺旋状のねじ溝にＥ形口金６のシェル部６１が螺合されることにより取付けられている。
【００４８】
また、上記口金６シェル部６１のスカート部６２から外管バルブ５のネック部の外表面にかけて、フッ素樹脂製の熱収縮チューブを縮径して周状に被着した保護被膜７が形成されメタルハライドランプＬ１を構成している。
【００４９】
そして、図１に示す高圧放電ランプは、ＢＴ型の外管バルブ５内に発光管１を収容した二重管構造のメタルハライドランプＬ１として、口金６側が上方にくる鉛直あるいは傾斜した状態のベースアップで点灯される。
【００５０】
すなわち、このメタルハライドランプL１の点灯は、ランプL１をソケットに装着して電源から安定器などを有する点灯回路装置（図示しない。）を介し通電される。このランプL１は、始動時、口金６の端子部(シェル６１およびアイレット６３)と電気的に接続した導入線３２，３３、サポート部材４、給電部材４７，４８、リード線４７、外部リード部材２３，２４、金属箔２１，２２などを介し主電極２ａ，２ａおよび補助電極２ｂに電圧が印加される。
【００５１】
そして、放電はまず近接している一方の主電極２ａと補助電極２ｂとの間で起り、ついで主電極２ａ，２ａ間の放電へと移行しランプＬ１が発光する。主電極２ａ，２ａ間で放電が始まれば、抵抗器や熱応動スイッチなどからなる始動回路部４６は、熱応動スイッチが動作して回路を遮断したり、抵抗器により電圧が低下して主電極２ａとこの主電極２ａに近接する補助電極２ｂとの間の放電は停止され、その後は主電極２ａ，２ａ間での放電で安定した点灯を持続させることができる。
【００５２】
本実施形態のメタルハライドランプＬ１によれば、外管バルブ５端部の封止部を覆い接合された口金６のスカート部６２から、外管バルブ５で最も機械的強度が弱い封止部が形成されたネック部５１にかけフッ素樹脂からなる熱収縮チューブを熱収縮させ形成した保護被膜７が周状に被着してあるので、封止部やネック部５１にかけた部分において傷や歪などにより万一破損しても保護被膜７がその破片の落下を防ぐことができる。
【００５３】
また、外管バルブ５が口金６側と分離するように分裂破損した場合であっても、保護被膜７が口金６に支持されているとともに外管バルブ５外表面に収縮力を常に付与した状態で被着してあるので分裂した外管バルブ５が脱落することがなく、安全性の向上したメタルハライドランプＬ１を提供することができる。
【００５４】
また、フッ素樹脂からなる保護被膜７は、外管バルブ５の全外表面に被着していないので、膨出部５２など主光放射部における被膜の経時劣化による透過光の低下も少なく光束維持特性などの発光特性の向上がはかれる。
【００５５】
また、保護被膜７の形成は、ネック部５１の外径に対し少々の余裕をもった内径の熱収縮チューブを所定寸法にカットし、この熱収縮チューブを口金６のスカート部６２から外管バルブ５のネック部５１の被着予定部に遊嵌して、温風などで加熱して収縮させることにより行うことができ、公知のプライマー上にフッ素樹脂粉末などを重層して形成する場合に比べ焼成温度が低いなど、被着設備および形成作業が容易でコスト低減や生産性の向上がはかれるとともに溶剤を用いていないので安全性が高く環境上も好ましい。
【００５６】
なお、外管バルブ５内部の発光管１の破裂については、発光管１を囲ぎょうしたシュラウド（中管）４５により対応することができる。
【００５７】
また、上記実施の形態において、本発明は口金６スカート部６２および外管バルブ５のネック部５１の保護被膜７が被着される部分の少なくとも一部に凹部や凸部または両者あるいは粗面や孔を形成しておくことにより、フッ化樹脂製などの熱収縮したチューブがこれら凹凸部や粗面などに沿って硬化密着される結果、形成された保護被膜７がずれ難くなり口金６側から分離しようとする外管バルブ５側を強固に支持することができる。
【００５８】
そして、この凹凸部は、シェル部６１に凹部や凸部または粗面や孔を設けても、あるいはスカート部６２先端の外方に拡開した開口端部６４部分あるいはソケットの受金との電気的接続にあまり支障のないシェル部６１のスカート部６２に続く螺旋状の突状部または溝状部（ねじ部）を利用しこの部分にまで保護被膜７を形成することにより達成できる。また、バルブ５側への凹凸部の形成は封止部をモールド成形する際に同時に成形すれば容易に形成でき、格別な作業や加工は必要ない。
【００５９】
また、上記実施の形態に示す各種定格のメタルハライドランプにおいてフッ素樹脂からなる保護被膜７の被着（形成）面積は口金６の大きさにもよるが、Ｅ２６形およびＥ３９形の口金では、口金６側にはスカート部６２の開口端面から２〜１５ｍｍの高さで１．６３〜１８，３７ｃｍ2   の面積範囲、また、ネック部５１側にはスカート部６２の開口端面から１０〜１００ｍｍの高さで１５．１７〜２２６．０８ｃｍ2   の面積範囲内にあれば、万一、ネック部５１においてクラックが発生しても口金６から外管バルブ５が離れ落下することがなかった。
【００６０】
すなわち、例えばＥ２６形の口金６ではシェル部６１のスカート部６２から２〜５ｍｍの外表面に保護被膜７を被着した場合では１．６３〜４．０８ｃｍ2   の面積範囲、Ｅ３９形の口金６ではシェル部６１のスカート部６２から２〜１５ｍｍの外表面に被着した場合では２．４５〜１８．３７ｃｍ2   の面積範囲である。
【００６１】
また、ネック部５１側にはスカート部６２の開口端面から直管状をなすネック部５１の外表面に保護被膜７を被着した場合では、外径が５０ｍｍのネック部５１の外表面に１０ｍｍの高さで被着した場合では１５．７ｃｍ2   の面積範囲、外径が５６ｍｍのネック部５１の外表面に１０ｍｍの高さで被着した場合では１７．５８ｃｍ2   の面積範囲、外径が４０ｍｍのネック部５１の外表面に１０ｍｍの高さで被着した場合では１２．５６ｃｍ2   の面積範囲、外径が２２ｍｍのネック部５１の外表面に１０ｍｍの高さで被着した場合では６．９１ｃｍ2   の面積範囲、外径が７２ｍｍのネック部５１の外表面に１００ｍｍの高さで被着した場合では２２６．０８ｃｍ2   の面積範囲である。
【００６２】
図２は本発明に関わる上記高圧放電ランプL１を装着したスポーツ施設照明用などの高天井用の照明器具９の実施の形態の概略を示す正面図である。
【００６３】
図２において照明器具９は、天井面などへの取付部をなす基台９１にソケット９２が取着されているとともにこのソケット９２を囲みガード９３が設けられている。そして、このガード９３の下端には金属板やほうろう製の円錐状をなし内面に反射面が形成された反射笠９４が固定され、上記ソケット９２に放電ランプL１の口金３が装着されることにより保持と電気的な接続がなされる。
【００６４】
なお、この実施の形態では上記基台９１、ガード９３および反射笠９４などで器具本体を構成している。また、ランプの点灯回路装置および電源スイッチ(いずれも図示しない。)は器具本体とは別の所に設けられている。
【００６５】
このような照明器具９は、スポーツ施設の天井面に反射笠９４の開口部側を下方に向けて取付けられ、電源スイッチを入れることにより電源から点灯回路装置、ソケット９２を介して放電ランプL１に通電される。
【００６６】
そして、この反射笠９４内で口金６側を上方(ベースアップ)にした垂直状態にあるランプL１が点灯されると、ランプL１からの可視光は反射面で反射され、あるいは直接に開口部を透過して、被照射物であるコートやグランド面を照射して所定の照度を得ることができる。
【００６７】
したがって、上記高圧放電ランプL１を用いた本発明の実施の形態に係わる照明器具９は、口金６からの外管バルブ５の分離落下が防げ安全性の向上がはれるとともにランプL１に対応して光束維持率などの発光特性の向上ができる。
【００６８】
また、図３は本発明に関わる他の管球の実施の形態の概略を示し、図中、図１と同一部分には同一の符号を付してその説明は省略する。
【００６９】
図３はアルミナなどのセラミックスからなるバルブ１１内に一対の電極と金属ハロゲン化物としてよう素（Ｉ）などのハロゲンと、ナトリウム（Ｎａ）、スカンジウム（Ｓｃ）、セシウム（Ｃｓ）やディスプロシウム（Ｄｙ）などの少なくとも一種の発光金属および不活性ガスとが封入された発光管１を、ステム管３１に支持させ、Ｔ（直管）形をなす外管バルブ５内に封装し、外管バルブ５端部に形成した封止部（図示しない。）を覆うようネック部５１に口金６が接合してある。
【００７０】
この口金６は、シェル部６１の開口部側にアルミナなどの耐熱性材料で筒状に形成したボディ６５が設けられこのボディ６５内において耐熱性接着剤やメカニカル的な手段を介しネック部５１が接合されている。また、６６は絶縁筒６５の外周に形成された環状突起である。
【００７１】
そして、この場合は口金６側の外径がバルブ５のネック部５１の外径よりも大きくなるが、口金６のボディ６５部分からネック部５１にかけてフッ素樹脂製の熱収縮チューブを被せ形成した保護被膜７が設けられている。
【００７２】
上記高圧放電ランプＬ２においても、万一、封止部の近傍に何らかの原因でクラックなどを生じ、口金６からバルブ５が分離してもネック部５１が保護被膜７の収縮により外方から押圧された状態で支持されている結果、前記実施の形態と同様に破損したバルブ５の脱落が阻止される。
【００７３】
したがって、破損したバルブ５部分の不所望な落下がない寿命末期まで安全、安心度が高く、かつ、ガラスバルブ５の主光放射をなす部分には保護被膜７を形成していないので光束維持率の低下が少ないパフォーマンス（働程）特性の向上がはかれた管球を提供することができる。
【００７４】
また、上記実施の形態において、本発明は口金６スカート部６２およびバルブ５ネック部５１の保護被膜７が被着される部分の少なくとも一部に凹部や凸部または両者あるいは粗面や孔を形成しておくことにより、フッ素樹脂製の熱収縮したチューブがこれら凹凸部や粗面などに沿って硬化密着される結果、形成された保護被膜７がずれ難くなり口金６側から分離しようとするバルブ５側を強固に支持することができる。
【００７５】
そして、この凹凸部は、シェル部６１に凹部や凸部または粗面や孔を設けても、あるいはスカート部６２先端の外方に拡開した開口端部６４部分や図３に示す口金６のようにアダプタ部６５の環状突起６６部分あるいはソケットの受金との電気的接続にあまり支障のないシェル部６１のスカート部６２に続く螺旋状の突状部または溝状部（ねじ部）を利用しこの部分にまで被膜７を形成することにより達成できる。また、外管バルブ５側への凹凸部の形成は封止部をモールド成形する際に同時に成形すれば格別な作業や加工は必要ない。
【００７６】
また、図４は三重管形の高圧放電ランプＬ３を示す。このランプＬ３は上記実施の形態と同種のセラミックスを用いた発光管１で石英ガラス製の中管５０内に収容し、この中管５０内を不活性ガスあるいは真空雰囲気として密封したものを、さらに硬質ガラスからなるＴ形の外管バルブ５内に収容した三重管構造のランプＬ３である。
【００７７】
このランプＬ３の場合は、口金６のシェル部６１の開口部にセラミックス製のボディ６５が設けられ、このボディ６５内に中管５０と外管バルブ５の端部を入れ、耐熱接着剤（図示しない）で固定してあるメタルハライドランプＬ３である。
【００７８】
このランプＬ３の場合もベースアップで点灯し、寿命末期など耐熱接着剤が劣化して接合力が低下したり、外管バルブ５の開口部にクラックが入った時、外管バルブ５と口金６のボディ６５とは、保護皮膜７が被着されているので、外管バルブ５の落下を防ぐことができる。
【００７９】
よって、上記実施の形態と同様に安全性を向上したランプＬ３を提供できる。
【００８０】
なお、本発明は上記実施の形態に限るものではない。たとえば、管球はメタルハライドランプ、高圧ナトリウムランプや水銀ランプなどの高圧放電ランプあるいはハロゲン電球などに適用しても上記作用効果を奏する。また、外管バルブは、石英ガラスまたはホウケイ酸ガラスやアルミノシリケートガラスなどの硬質ガラスあるいはソーダライムガラスなどの軟質ガラスからなり、その形状はＡ形、Ｇ形、Ｒ形、Ｔ形、ＰＳ形やＢＴ形あるいはこれらの複合形状で形成されているものを用いることができる。
【００８１】
また、管球のバルブ構成が二重構造の場合、外管となるバルブの内部は、不活性ガスまたは窒素ガス雰囲気あるいは真空雰囲気などの気密雰囲気としてある。すなわち、外管バルブ内に不活性ガスまたは窒素ガスを低圧封入するか真空雰囲気とすることにより、点灯時に高温となる発光管構成部材、サポート部材やステム構成部材の酸化などを防止するとともにランプの再始動時間を短縮したり、万一の外管バルブ破損時の破裂を防止できる。
【００８２】
また、高圧放電ランプは、発光源が少なくとも一対の熱陰極や冷陰極からなる放電電極が封装され、また、外管ガラスバルブ内に配設される始動回路部は、点灯管やＵＶエンハンサが用いられるものであってもよい。
【００８３】
また、口金はＥ（ねじ込み）形に限らず、Ｓ（差込み）形などであってもよい。また、シェル部と一体または一体的に設けられた金属製あるいはセラミックスなどの電気絶縁性の材料で形成されたバルブの封止部およびネック部を収容して接合する口金ボディを有する口金であってもよい。
【００８４】
また、熱収縮チューブは同径一本のものでなく、外管バルブのネック部と口金の外径差が大きい場合は、夫々の外径に対応した中間部において径差のあるチューブを用いることによって膜厚の均一化がはかれる。
【００８５】
また、発光管を囲ぎょうするシュラウド（中管）は、必須のものではないが、発光管容器と同様な石英ガラス、硬質ガラスやセラミックスなどの耐熱透光性の材料を用いることができ、このシュラウドを二重管として耐衝撃強度を高めるようにしてもよい。また、このシュラウドの強度を高める手段として、外周面に耐熱性のセラミックスなどの無機系繊維からなる線状の補強体やシュラウドの外周面に耐熱性の材料で形成したメッシュ状などの補強体を巻装することにより対応させてもよい。
【００８６】
このシュラウドのサポート部材への取り付けは、シュラウドの端面とほぼ同形のリング状の金属板の複数箇所に起立片を設けた保持板を両端部に当て起立片を起立させてシュラウドの端部を外側から抑えたり内外面の両側から挟むようにするとともに一部の起立片をサポート部材やバンド部材に溶接などの手段で接続することにより固定したり、シュラウドの端部の相対した部分に軸方向に切込みを設け、この一対の切込みを発光管を固定するバンド部材に装着するなどの手段で係止するようにしてもよい。
【００８７】
また、発光管およびシュラウドを支持する枠状のサポート部材は、光電子作用を回避するため電位のかからない構成としたり、ハロゲン化ナトリウムを封入しない発光管などにおいては電極への給電部材として用いられてサポート部材に電位がかかるものであってもよく、また、発光管およびシュラウドの上下端部分の支持が分離した2部品からなる構成のサポート部材であってもよい。
【００８８】
さらに、照明装置は上記実施の形態に示すものに限らず、本体内に点灯回路装置を備えていても、本体外に点灯回路装置を設け管球と接続されるものであってもよく、本体内に反射鏡や光放射側にレンズや透光性のカバー部材が設けられていてもよい。
【００８９】
この照明装置は、店舗、ホール、地下街、事務所やスポーツ施設などの照明用として用いることができる。
【図面の簡単な説明】
【００９０】
【図１】本発明の実施の形態に係る高圧放電ランプとして、例えばメタルハライドランプの概略を示す正面図である。
【図２】本発明の実施の形態に係る上記メタルハライドランプを装着したスポーツ施設照明用などの高天井用の照明器具の概略を示す縦断面図である。
【図３】本発明の実施の形態に係る高圧放電ランプの概略を示す正面図である。
【図４】本発明の実施の形態に係る高圧放電ランプの概略を示す正面図である。
【符号の説明】
【００９１】
Ｌ１，Ｌ２，Ｌ３：メタルハライドランプ（管球）、
１:発光管、
１１：発光管容器、
１２:ネック部、
３：マウント、
４:サポート部材、
５:外管バルブ、
６:口金、
６１:シェル部、
７：保護被膜、
９：照明装置
【図１】
2010040219.tif 000003
【図２】
2010040219.tif 000004
【図３】
2010040219.tif 000005
【図４】
2010040219.tif 000006